(57)【特許請求の範囲】
【請求項１】
引戸本体と、この引戸本体を移動させるための移動部とを有する引戸装置において、
前記移動部の少なくとも一部は前記引戸本体で開閉される開口部と対応する位置にあり、前記開口部と対応する位置にある前記移動部の部分はこの開口部の上方に配置された部分であり、この部分のうちの少なくとも一部が前記壁の内部に収納され、
前記移動部は、無目と、この無目の内部に配置され、前記引戸本体を移動させるための移動機構とを含んで構成され、前記無目の上面には下方へ窪んだ段部が形成され、この段部に前記壁を形成する外面形成部材の下端が当接していることにより、前記開口部と対応する位置にある前記移動部の部分のうちの少なくとも一部が前記壁の内部に収納されていることを特徴とする引戸装置。
【請求項２】
請求項１に記載の引戸装置において、前記開口部と対応する位置にある前記移動部の部分のうちの前記外面形成部材によって前記壁の内部に収納されている部分は、前記開口部の左右方向の長さと対応する長さとなっていることを特徴とする引戸装置。
【請求項３】
請求項１又は２に記載の引戸装置において、前記開口部を開いた前記引戸本体を収納するための戸袋がこの開口部に隣接して設けられているとともに、前記移動部はこれらの開口部と戸袋とに跨って設けられ、この移動部のうちの前記戸袋の上方に配置された部分と、この戸袋とが壁の内部に設けられていることを特徴とする引戸装置。
【請求項４】
請求項１〜３のいずれかに記載の引戸装置において、前記壁における前記移動部の箇所から外れた部分の一方の側と他方の側のそれぞれは、複数枚の外面形成部材を壁厚さ方向に重ねることにより形成され、前記壁の内部に収納されている前記移動部の少なくとも一部は、これらの外面形成部材のうちの外側の外面形成部材で覆われていることを特徴とする引戸装置。
【請求項５】
請求項１〜４のいずれかに記載の引戸装置において、前記無目は、無目本体と、この無目本体に開閉自在に設けられた点検用カバーとを備えて形成され、この点検用カバーは前記壁の内部に収納されていないことを特徴とする引戸装置。
【請求項６】
請求項５に記載の引戸装置において、前記移動機構は、前記引戸本体の上方に配置されていて引戸本体が吊り下げられ、この引戸本体を案内移動させるためのガイド部材と、このガイド部材に沿って前記引戸本体を移動させるための駆動装置と、閉じ側へ移動している前記引戸本体の移動速度を減速させるための制動装置とを含んで構成され、この制動装置と前記駆動装置のうちの一方は前記ガイド部材等の不動部材側に取り付けられ、他方は前記引戸本体等の可動部材側に取り付けられていることを特徴とする引戸装置。
【発明の詳細な説明】
【０００１】
【発明の属する技術分野】
本発明は、出入口等の開口部を引戸本体が開閉する引戸装置に係り、例えば、引戸本体が上方のガイド部材から吊り下げられて案内移動する上吊り式の引戸装置等に利用できるものである。
【０００２】
【背景技術】
建物内の部屋と廊下を仕切るためや、部屋同士等を仕切るために上吊り式の引戸装置が用いられ、この上吊り式の引戸装置では、無目の内部に配置されたガイドレールから引戸本体が吊り下げられ、ガイド部材になっているこのガイドレールに案内されて引戸本体が移動することにより出入口等の開口部が開閉される。
【０００３】
この上吊り式引戸装置において、無目と、この無目の内部に配置されているガイド部材等により、引戸本体を移動させるための移動部が構成され、引戸本体の移動を自動的に行わせるための駆動装置等が無目の内部に配置されているタイプの引戸装置では、この駆動装置等を含めて移動部が構成されている。
【０００４】
【発明が解決しようとする課題】
この移動部は、引戸本体を円滑に移動等させる上で重要なものになっているとともに、引戸本体と比べると、比較的精密な部品からなっている。このため、引戸装置の本来の機能及び性能等を確保する上で、移動部を衝撃力等の外力から保護し、外力による影響をできるだけ受けないようにすることが必要とされ、このような目的を有効に達成できる工夫が求められる。
【０００５】
本発明の目的は、引戸本体を移動させるための移動部を外力から有効に保護できる引戸装置を提供するところにある。
【０００６】
【課題を解決するための手段】
本発明に係る引戸装置は、引戸本体と、この引戸本体を移動させるための移動部とを有する引戸装置において、前記移動部の少なくとも一部が壁の内部に収納されていることを特徴とするものである。
【０００７】
この引戸装置では、引戸本体を移動させるための移動部の少なくとも一部が壁の内部に収納されているため、壁の内部に収納された移動部の部分は外部に露出せず、これにより、壁によって移動部の少なくとも一部が外力から保護されることになり、引戸装置の本来の機能及び性能等を確保できる。しかも、引戸装置は、通常、壁に設置されるため、この壁を利用して移動部の保護を行えることになり、特別の保護部材を設ける必要がない。
【０００８】
また、移動部の少なくとも一部を壁の内部に収納することにより、収納した分だけ移動部を実質的に大きくでき、これにより、移動部を構成する複数の部材を有効に配置できるようになる。
【０００９】
以上において、壁の内部に収納する移動部の部分は、移動部の一部でもよく、移動部の全部でもよい。
【００１０】
また、移動部のうちの一部を壁の内部に収納する場合には、この収納する一部は、引戸本体で開閉される開口部と対応する位置にある部分でもよく、他の部分でもよい。
【００１１】
さらに本発明は、移動部が引戸本体で開閉される開口部の上方に配置されたタイプの引戸装置、言い換えると、引戸本体が上方に配置されている移動部から吊り下げられた上吊り式の引戸装置でもよく、移動部が引戸本体で開閉される開口部の下部に配置されたタイプの引戸装置でもよいが、これらのタイプのうち、前者の引戸装置においては、開口部と対応する移動部の部分はこの開口部の上方に配置された部分となり、このタイプの引戸装置では移動部は天井に近い壁の箇所に設けられることになるため、開口部の上方に位置する移動部のうちの少なくとも一部を有効に壁の内部に収納することができる。
【００１２】
また、前述のように移動部の少なくとも一部を壁の内部に収納する本発明に係る引戸装置は、開口部を開いた引戸本体を収納するための戸袋を有しているものでもよく、有していないものでもよい。戸袋を有している場合においては、その戸袋は、引戸本体の一方と他方の両方の面を覆うタイプのものでもよく、引戸本体の一方と他方の両方の面のうちの一方だけを覆い、他方を露出させる片側タイプのものでもよい。
【００１３】
本発明は、片側タイプを含めて戸袋が壁の内部に設けられた形式の引戸装置にも適用でき、戸袋と壁とが別構造になっていて戸袋が外部に露出した形式の引戸装置にも適用できる。
【００１４】
このように戸袋を有している引戸装置においては、戸袋と、引戸本体で開閉される開口部とが隣接して設けられるとともに、前記移動部はこれらの戸袋と開口部とに跨って設けられることになる。
【００１５】
このような構造となっている引戸装置において、移動部のうちの開口部の上方に配置された部分の少なくとも一部を壁の内部に収納するとともに、移動部のうちの戸袋の上方に配置された部分と戸袋とを壁の内部に設けてもよい。これによると、移動部のうちの多くの部分が壁の内部に収納されることになり、外力からの移動部の保護を一層有効に行えることになる。
【００１６】
また、以上の本発明に係る引戸装置において、移動部の少なくとも一部を内部に収納するための壁は任意な材料で形成された任意な形式のものでよく、例えば、壁の移動部に対する一方の側と他方の側のそれぞれがパネル状となっている複数枚の外面形成部材を壁厚さ方向に重ねることにより形成されたものでもよく、壁全体がコンクリート打設により又は塗り壁で形成されているものでもよい。
【００１７】
壁における移動部の箇所から外れた部分の一方の側と他方の側のそれぞれが、複数枚の外面形成部材を壁厚さ方向の重ねることにより形成されている場合には、壁の内部に収納される移動部の少なくとも一部を、これらの外面形成部材のうちの外側の外面形成部材で覆わようにしてもよく、外面形成部材の全部で覆うようにしてもよい。
【００１８】
前者によると、移動部のうちの少なくとも一部は外側だけの外面形成部材で覆われ、内側の外面形成部材では覆われないため、この内側の外面形成部材の厚さ寸法分だけ移動部の厚さ寸法を大きくでき、それだけ移動部の機能を充実させることができる。
【００１９】
このように移動部を外側だけの外面形成部材で覆うようにする場合においては、外側だけの外面形成部材で覆うのは、移動部の一方の側と他方の側のうちのどちらかだけでもよく、両方でもよい。
【００２０】
また、壁における移動部の箇所から外れた部分の一方の側と他方の側のそれぞれが２枚の外面形成部材を壁厚さ方向に重ねることにより形成されている場合には、移動部を覆う外側の外面形成部材の枚数は１枚だけとなるが、壁における移動部の箇所から外れた部分の一方の側と他方の側のそれぞれが３枚又はそれ以上の枚数の外面形成部材を壁厚さ方向の重ねることにより形成されている場合には、移動部を覆う外側の外面形成部材の枚数は、２枚でもよく、それ以上の枚数でもよい。
【００２１】
また、移動部が、無目と、この無目の内部に配置された移動機構とを含んで構成され、無目が、無目本体と、この無目本体に開閉自在に設けられた点検用カバーとを備えて形成されている場合には、この点検用カバーを壁の内部に収納しないようにする。
【００２２】
これによると、点検用カバーは壁の内部に収納されないため、点検用カバーを無目本体に対して開閉することができ、これによって無目の内部に配置されている移動機構の点検、修理等の作業を行えるようになる。
【００２３】
なお、ここでいう無目本体に点検用カバーを開閉自在に設けるとは、無目本体に対して点検用カバーをヒンジ等を中心に回動自在に設けることや、無目本体に対して点検用カバーを取り付け、取り外し自在に設けること、無目本体に対して点検用カバーをスライド自在に設けること等を含む。
【００２４】
また、以上の本発明において、点検用カバーのように壁から露出している移動部の露出部分の表面は、壁の表面と一致又は略一致させてもよく、壁の表面から突出させてもよい。壁の表面と一致又は略一致させた場合には、この移動部の露出部分を外力からある程度有効に保護できることになる。
【００２５】
また、本発明は、移動機構が、引戸本体の上方に配置されて引戸本体が吊り下げられ、この引戸本体を案内移動するためのガイド部材によって構成され、このガイド部材に沿った引戸本体の移動が人手操作又は傾斜配置されたガイド部材による引戸本体の自重で行われる引戸装置にも適用でき、また、移動機構が、引戸本体の上方に配置されていて引戸本体が吊り下げられ、この引戸本体を案内移動するためのガイド部材と、このガイド部材に沿って引戸本体を自動的に移動させるための駆動装置とを含んで構成されている場合にも適用でき、さらに、移動機構が、これらのガイド部材と駆動装置と、閉じ側へ移動している引戸本体の移動速度を減速させるための制動装置とを含んで構成されている場合にも適用できる。このように移動機構が、ガイド部材と駆動装置と制動装置とを含んで構成されている場合には、制動装置と駆動装置のうちの一方をガイド部材等の不動部材側に取り付け、他方を引戸本体等の可動部材側に取り付けてもよい。
【００２６】
このようにした場合には、引戸本体がガイド部材に沿って移動したときに、駆動装置と制動装置とが干渉しないようにすることが必要であるが、このためには、駆動装置と制動装置とを干渉が生じない距離だけ離間させるために無目本体の寸法を大きくしなければならない。しかし、本発明では、移動部の少なくとも一部が壁の内部に収納されるため、駆動装置と制動装置とが干渉しない程度まで無目本体の寸法を大きくしても、壁から露出する移動部の部分を少なくでき、引戸装置の外観を良好にできる。
【００２７】
なお、以上において、ガイド部材はガイドレールでもよく、スライディングレールでもよい。
【００２８】
また、駆動装置は、前記開口部に対する引戸本体の閉じ移動と開き移動の両方を自動的に行うものでもよく、これらのいずれか一方を自動的に行い、他方を人手操作で行うものでもよい。
【００２９】
さらに、駆動装置の駆動原理は任意なものでよく、例えば、蓄圧されたばね力によって引戸本体を引っ張り移動させる渦巻きばね式のものでもよく、シリンダで引戸本体を移動させるシリンダ式のものでもよく、モータで回転するピニオンやベルトで引戸本体を移動させるモータ式のものでもよく、電磁石の吸引力、反発力で引戸本体を移動させるリニアモータ式のもの等でもよい。
【００３０】
また、制動装置の制動原理は任意なものでよく、例えば、流体が圧縮されることにより引戸本体の移動を制動させる流体圧縮式のものでもよく、流体を攪拌することにより引戸本体の移動を制動させる流体攪拌式のものでもよく、電磁石を含む磁石の反発力を利用したマグネット式のもの等でもよい。
【００３１】
さらに、本発明が適用される引戸装置は、引戸本体が１個のものでもよく、複数個のものでもよい。引戸装置が複数個の引戸本体を備えている場合において、これらの引戸本体は引き分け式となっていてもよく、引き違い式になっていてもよく、これら両方のものが組み合わせられたものでもよい。さらに本発明が戸袋を備えた引戸装置に適用される場合には、引戸本体が戸袋を間に挟んでその両側に配置された引戸装置にも本発明を適用できる。
【００３２】
このように、複数個の引戸本体を備えた引戸装置に本発明を適用するとき、その戸袋は１個の引戸本体を収納するためのものでもよく、複数個の引戸本体を収納するためのものでもよい。
【００３３】
【発明の実施の形態】
以下に本発明の実施形態を図面に基づいて説明する。初めに、本実施形態に係る引戸装置の全体を説明する。
【００３４】
図１は、本実施形態に係る引戸装置の全体を示す正面図である。この引戸装置は、建物内の廊下と部屋との間を開閉自在に仕切るための室内用仕切り手段として設置され、引戸本体１は把持部１Ａを把持することにより左右動させることができ、左右動すると引戸本体１は、無目２と引戸本体戸先側の縦枠３と壁４と床５とに囲まれて形成されている出入口用の開口部６を開閉し、この開口部６を開いたときの引戸本体１の大部分は壁４の内部に形成されている戸袋７に収納される。すなわち、本実施形態に係る引戸装置は、開口部６を開いたときの引戸本体１が収納される戸袋７が壁４の内部に設けられている壁収納型の引戸装置になっている。
【００３５】
また、引戸装置の外枠組み体の基本構造は、無目２と、引戸本体戸先側の縦枠３と、引戸本体戸尻側の縦枠８とで形成され、この引戸本体戸尻側の縦枠８により戸袋７の終端部が形成されている。
【００３６】
無目２は、無目本体２Ａと、この無目本体２Ａに設けられた点検用カバー２Ｂとからなり、点検用カバー２Ｂは、この無目本体２Ａに設けられているねじ孔に螺合される止めねじ等の止め具２Ｃで取り付け、取り外し自在になっており、したがって、無目本体２Ａに対して点検用カバー２Ｂは開閉自在となっている。無目本体２Ａは、図１のＳ５―Ｓ５線断面図である図５に示されているように、戸袋７まで延びる長さを有し、点検用カバー２Ｂは、無目本体２Ａの全長のうち、開口部６の上方に位置する部分だけに設けられている。
【００３７】
無目２の内部には、引戸本体１を移動させるための移動機構が配置されており、このため、無目２とこの移動機構とにより、引戸本体１を左右動させて開口部６を開閉させるための移動部Ａが構成されている。この移動部Ａは、開口部６と、開口部６に隣接して設けられている戸袋７とに跨っている。
【００３８】
図２及び図３には、引戸本体１を移動させるための移動機構が示されている。図２は、この移動機構によって引戸本体１が閉じ限位置に達しているときを示し、図３は、引戸本体１が開き限位置に達しているときを示す。
【００３９】
図２に示すように、無目本体２Ａの内部には引戸本体１の移動を案内するためのガイド部材であるガイドレール１０が組み込まれ、上記移動機構を形成する部材であって、無目本体２Ａの略全長に亘る長さを有するこのガイドレール１０は、図１のＳ４―Ｓ４線断面図である図４に示すとおり、無目本体２Ａの内部に設けられている取付部材１１に取り付けられ、戸袋７の内部まで延びている。同一断面形状が長さ方向に連続しているこのガイドレール１０は、取付部材１１に取り付けられた基部１０Ａと、この基部１０Ａの下端から引戸本体１の厚さ方向に水平に延びるアーム部１０Ｂと、このアーム部１０Ｂの先端から垂直に立ち上がった係合部１０Ｃとを有する。
【００４０】
図２で示すように、引戸本体１には、ローラブラケット１３，１４に回転自在に取り付けられた２個のローラ１５，１６が引戸本体１の移動方向に配設され、ローラブラケット１３，１４を介して引戸本体１の上部に配置されているこれらのローラ１５，１６は、図４に示すように、引戸本体１の上方に不動部材となって水平に架設されているガイドレール１０の係合部１０Ｃに係合している。このため、引戸本体１は、ローラ１５，１６が係合部１０Ｃ上を転動することによりガイドレール１０に沿って移動するとともに、引戸本体１は、ガイドレール１０の係合部１０Ｃにローラ１５，１６及びローラブラケット１３，１４を介して吊り下げられた上吊り式となっている。
【００４１】
また、図１に示すように、戸袋７に近い開口部６の床５には、垂直軸を中心に回転自在となったガイドローラ１７が配置され、このガイドローラ１７は、図４に示すとおり、引戸本体１の下端に下向きに開口して配置されているチャンネル部材１Ｂの内部に挿入されており、ガイドレール１０に沿った引戸本体１の移動は、引戸本体１の下端がこのガイドローラ１７で案内されながらなされる。
【００４２】
図２に示されているように、ガイドレール１０の引戸本体開き側の端部には、引戸本体１を開き限位置に停止させるためのストップ装置２０が取り付けられ、このストップ装置２０は、引戸本体閉じ側に向けて本体２１に突設されたゴム等の弾性材料からなるストップ部材２２と、本体２１に取り付けられた小径ローラによる被係止部材２３とを有する。一方、引戸本体１に設けられている２個のローラブラケット１３，１４のうち、引戸本体開き側のローラブラケット１４の後端には板状の受け部材２４が結合され、この受け部材２４には板ばねの折り曲げで形成されている係止部材２５が取り付けられている。
【００４３】
引戸本体１を前記把持部１Ａで開き側に移動させ、この移動が開き限位置に達すると、図３に示されているように、被係止部材２３には、一旦上向きに湾曲変形してもとの形状に弾性復帰する係止部材２５が係止するとともに、受け部材２４はストップ部材２２に当接し、これにより引戸本体１は開き限位置に停止する。
【００４４】
また、引戸本体１の把持部１Ａに引戸本体閉じ側への操作力を作用させた場合には、被係止部材２３から上向きに弾性変形する係止部材２５が離脱するため、引戸本体１はガイドレール１０とガイドローラ１７に案内されて閉じ側へ移動する。
【００４５】
また、図２及び図３に示されているように、引戸本体１に設けられている２個のローラブラケット１３，１４のうち、引戸本体閉じ側のローラブラケット１３には、引戸本体１を閉じ移動させるための駆動装置３０のケーシング３０Ａがブラケット３１で取り付けられている。駆動装置３０はケーシング３０Ａ内に回転自在に収納されたリール３３を有し、このリール３３の内部には渦巻きばねが配置され、この渦巻きばねの一端はリール３３に結合されているとともに、他端はケーシング３０Ａに結合されている。
【００４６】
また、リール３３には、図２及び図３で示されているナイロン紐又はワイヤー等からなる紐状部材３４が巻かれているとともに、この紐状部材３４の一端が結合されている。この紐状部材３４はケーシング３０Ａから導出され、紐状部材３４の他端は、不動部材であって前述した外枠組み体を形成している縦枠３に設けられたフック部材３５に係止されている。
【００４７】
図２で示すように閉じ限位置に達している引戸本体１を把持部１Ａで図３に示すように開き側へ移動させたときには、紐状部材３４がリール３３を回転させながら駆動装置３０のケーシング３０Ａから繰り出され、このとき、リール３３の内部の上記渦巻きばねがリール３３の回転で蓄圧されるようになっている。このため、この後に把持部１Ａから手を離すと（引戸本体１が図３のように閉じ限位置に達しているときには、前述のように、把持部１Ａに操作力を作用させて被係止部材２３から係止部材２５を離脱させると）、渦巻きばねの蓄圧力によってリール３３には、引戸本体１の開き移動時とは逆方向へ引戸本体１を移動させようとする回転力が生じているため、この回転力で緊張している紐状部材３４の引張力によって引戸本体１は閉じ側へ引っ張られ、リール３３が回転して紐状部材３４を巻き取ることにより、引戸本体１は閉じ限位置まで自動的に移動する。
【００４８】
したがって、本実施形態における引戸本体１を閉じ側へ自動的に移動させるための駆動装置３０は渦巻きばね式であるとともに、紐状部材３４の引張力による引張式駆動装置となっている。
【００４９】
図２及び図３に示すように、ガイドレール１０には、閉じ側への引戸本体１の移動速度を低速化させて制動させ、引戸本体１を閉じ限位置に減速させて到達させるための制動装置４０が取り付けられている。この制動装置４０は、シリンダ本体４１と、シリンダ本体４１にガイドレール１０の長さ方向に伸縮自在に挿入されたピストンロッド４２とを有するシリンダ装置で構成され、シリンダ本体４１は、不動部材となっているガイドレール１０に取り付けられている。
【００５０】
図２及び図３で示すように、引戸本体１に２個設けられているローラブラケット１３，１４のうち、引戸本体開き側のローラブラケット１４には、ピストンロッド４２の先端部が挿抜自在となったキャッチ部材４４が取り付けられ、ピストンロッド４２の先端部と、この先端部が挿入されるキャッチ部材４４の内部とのうち、一方には磁石が設けられ、他方にはこの磁石に吸着する磁性材料が設けられている。このため、ピストンロッド４２とキャッチ部材４４とは、磁力で接続分離自在となっている。
【００５１】
図２に示すように引戸本体１が閉じ限位置に達しているときには、シリンダ本体４１に対して収縮しているピストンロッド４２の先端部がキャッチ部材４４の内部に挿入された状態になっており、引戸本体１を開き側へ移動させると、ピストンロッド４２の先端部とキャッチ部材４４とが上記磁力で接続されているため、ピストンロッド４２はシリンダ本体４１に対して伸び作動する。このピストンロッド４２が伸び作動限に達してもさらに引戸本体１が開き側に移動すると、図３に示すように、ピストンロッド４２とキャッチ部材４４とが分離し、ピストンロッド４２はその位置で停止する。また、引戸本体１が前記引張式駆動装置３０の駆動力で閉じ側へ移動し始め、そして引戸本体１が所定位置に達すると、キャッチ部材４４はピストンロッド４２に当接してこれらのキャッチ部材４４とピストンロッド４２とが上記磁力で再度接続され、引戸本体１がさらに閉じ側へ移動することにより、ピストンロッド４２はシリンダ本体４１に対して収縮作動する。
【００５２】
なお、ピストンロッド４２の先端部と、この先端部が挿入されるキャッチ部材４４の内部とに互いに磁性が逆となった磁石を設けることにより、ピストンロッド４２とキャッチ部材４４とを上記と同様に接続分離自在としてよい。
【００５３】
シリンダ本体４１には、ピストンロッド４２が伸び作動したときに多量のエアをシリンダ本体４１の内部に吸引し、ピストンロッド４２が収縮作動したときにはこのエアを絞りながら排出するバルブが設けられている。このため、ピストンロッド４２が伸び作動する引戸本体１の開き移動時には、引戸本体１を軽く移動させることができ、また、ピストンロッド４２が収縮作動する引戸本体１の閉じ移動時には、引戸本体１がシリンダ本体４１の内部のエア圧力によって制動されながら移動し、減速された速度で閉じ限位置に達するようになっている。
【００５４】
図１で示すように、戸袋７の箇所には、横方向（戸袋７の幅方向であって、引戸本体１の移動方向）に細長い下地部材５０が配置され、細長状部材となっているこの下地部材５０は、上下方向に間隔を開けて複数設けられている。これらの下地部材５０は、戸袋７の幅方向両端部まで達する同じ長さを有しているが、本実施形態に係る戸袋７には、図５に示されているように、上下寸法が異なる４種類の下地部材５０Ａ，５０Ｂ，５０Ｃ，５０Ｄが用いられている。
【００５５】
すなわち、戸袋７の両方の面において、言い換えると、引戸本体１の一方の面と他方の面と対向する両方の面において、最下段の下地部材５０は上下寸法が最も大きい下地部材５０Ａであり、最下段から２段目と３段目の下地部材５０は上下寸法が最も小さい下地部材５０Ｄである。下地部材５０Ａ同士、最下段から２段目の下地部材５０Ｄ同士、最下段から３段目の下地部材５０Ｄ同士は、それぞれ同じ高さ位置に配置されている。図５における右側の最上段の下地部材５０、言い換えると、図１で示された側の最上段の下地部材５０は、上下寸法が３番目に大きい下地部材５０Ｃであり、図５における左側の最上段の下地部材５０は、上下寸法が２番目に大きい下地部材５０Ｂである。
【００５６】
これらの下地部材５０は金属板の折り曲げで形成されており、下地部材５０の全体斜視図である図９で示すとおり、長さ方向と直角をなす幅方向の途中部、すなわち、上下方向の途中部には、下地部材５０の厚さ方向に屈曲突出しかつ下地部材５０の長さ方向へ連続して延びている屈曲突出部５１が形成されており、この突出方向は戸袋７の外側である。このように、それぞれの下地部材５０は戸袋７の外側へ屈曲した部分を有する屈曲部付き部材となっており、これらの下地部材５０は、上下の幅狭のフランジ部５２から屈曲突出部５１の屈曲部５１Ａが直角又は略直角に折り曲げられたものとなっている。
【００５７】
図１のＳ８−Ｓ８線断面図である図８に示すように、戸袋７の引戸本体閉じ側端部には見切り材としての竪額縁９が設けられ、この竪額縁９には戸袋７の内側において引戸本体開き側へ延びる延出部９Ａが設けられている。また、竪額縁９には補助部材５３が取り付けられ、アングル材からなるこの補助部材５３には、戸袋７の内外方向への間隔を開けて延出部９Ａと平行に引戸本体開き側へ延びる延出部５３Ａが設けられている。これらの延出部９Ａと５３Ａとの間にそれぞれの下地部材５０の一方の端部が挿入され、これらの端部はドリルねじ等の止着具５４で補助部材５３に止められており、また、それぞれの下地部材５０の他方の端部は前述した戸尻側の縦枠８にドリルねじ等の止着具５４で止められている。
【００５８】
図５に示すように、内部が戸袋７となっている壁４の一方の側と他方の側の外面は、戸袋７の内外方向（壁４の厚さ方向）に重ねられた内外２枚の外面形成部材５５，５６で形成され、石膏ボード製であるこれらの外面形成部材５５，５６のうち、内側の外面形成部材５５は、上下に間隔を開けて平行に配設されている下地部材５０同士の間に複数組み込まれている。これらの外面形成部材５５の厚さは下地部材５０の図９で示した屈曲部５１Ａの幅寸法Ｗと対応しており、下地部材５０同士の間に配置されているそれぞれの外面形成部材５５は、上下端部が下地部材５０のフランジ部５２に押し当てられている。図９に示すとおり、これらのフランジ部５２には両面粘着テープ５７が予め取り付けられているため、外面形成部材５５はこれらの両面粘着テープ５７で下地部材５０に固定されている。
【００５９】
図７は図５の一部拡大図であり、最下段の下地部材５０Ａにおける両方のフランジ部５２に、この下地部材５０Ａの上下に配置されている外面形成部材５５が図９で示された両面粘着テープ５７で固定されており、この下地部材５０Ａ以外の下地部材５０についても、これと同様に外面形成部材５５がフランジ部５２に両面粘着テープ５７で固定されている。
【００６０】
また、それぞれの外面形成部材５５の前記開口部６側の端部は、図８で示した竪額縁９の延出部９Ａと補助部材５３の延出部５３Ａとの間に挿入されている。
【００６１】
図６は図５で示された戸袋７の下部の拡大図であり、戸袋７の下部には内外二重の幅木５８，５９が配置され、内側の幅木５８の両端立上部５８Ａと外側の幅木５９の両端立上部５９Ａとの間に最下段の外面形成部材５５の下端部が挿入されている。
【００６２】
以上のように配置された内側の外面形成部材５５の外側に大面積を有する外側外面形成部材５６が配置され、この外面形成部材５６は、下地部材５０の屈曲突出部５１、補助部材５３の延出部５３Ａ、外側の幅木５９の両端立上部５９Ａにステープル等の止着具で結合されている。
【００６３】
この外面形成部材５６は、図５に示すとおり、上下に並設されているそれぞれの下地部材５０及び内側の外面形成部材５５を覆い、したがって床５から無目２を超えるまでの大きな上下寸法を有するとともに、図８に示すとおり、戸袋７から外れた壁４の部分まで延びる大きな横寸法を有するものである。このため、この外側の外面形成部材５６は、戸袋７の箇所から外れた壁４の部分の外面形成部材にもなっており、外面形成部材５６の施工後、外面形成部材５６の表面にビニルクロス等の化粧部材が被せられることにより、戸袋７の箇所を含めた壁４が仕上られている。
【００６４】
図８に示されているように、戸袋７の箇所から横方向に外れた壁４の部分における外側の外面形成部材５６の内側には、内側の外面形成部材６０が配置されている。このため、戸袋７の箇所における壁４の部分では、一方の側と他方の側のそれぞれが、壁厚さ方向に２枚重ねられた外面形成部材５５と外面形成部材５６で形成されているとともに、戸袋７の箇所から横方向に外れた壁４の部分も、一方の側と他方の側のそれぞれが、壁厚さ方向に２枚重ねられた外面形成部材６０と外面形成部材５６とで形成されている。
【００６５】
図１０は、戸袋７の上部の縦断面図であり、この図１０で示されているとおり、戸袋７及び無目本体２Ａの箇所から上方に外れた壁４の部分における一方の側と他方の側のそれぞれも、壁厚さ方向に２枚重ねられた外面形成部材６０と外面形成部材５６とで形成されている。
【００６６】
これらの外面形成部材５６と６０のうち、内側の外面形成部材６０は無目本体２Ａの上端までの大きさとなっており、外側の外面形成部材５６だけが無目本体２Ａの一方の側と他方の側のそれぞれを覆っている。したがって、戸袋７の上方における無目本体２Ａの厚さ寸法は、無目本体２Ａの箇所から上方に外れた壁４の部分の厚さ寸法と比較して、内側の２枚の外面形成部材６０の厚さに相当する分だけ小さくなっただけであり、前記無目２と前記移動機構とで構成されている前述した移動部Ａの一方の側と他方の側のそれぞれは、戸袋７の上方においては、１枚の外面形成部材５６で覆われている。
【００６７】
言い換えると、引戸本体１で開閉される図１で示した開口部６と、この開口部６に隣接している戸袋７とに跨って設けられている移動部Ａのうち、戸袋７の上方に配置されている移動部Ａの部分は、この部分の一方の側と他方の側を覆う外面形成部材５６によって壁４の内部に収納されていることになる。
【００６８】
また、図１のＳ４−Ｓ４線断面図である図４に示されているように、前記開口部６の上方に配置されている無目本体２Ａの箇所でも、内側の外面形成部材６０は無目本体２Ａの上端までの大きさとなっているとともに、無目２の裏面側（無目２における前記点検用カバー２Ｂが設けられている側とは反対側）においては、外側の外面形成部材５６が無目本体２Ａの下端まで達する大きさとなっており、このため、無目本体２Ａの裏面は１枚の外面形成部材５６で覆われている。
【００６９】
一方、無目本体２Ａの上面には下方へ窪んだ段部２Ｄが形成され、この段部２Ｄに無目２の表面側における外側の外面形成部材５６の下端が当接しているため、無目２の表面側においては、外側の外面形成部材５６は、段部２Ｄよりも上部の無目本体２Ａの部分だけを覆っている。段部２Ｄよりも下部の無目本体２Ａの部分に設けられている前記点検用カバー２Ｂは、外面形成部材５６で覆われていない。言い換えると、点検用カバー２Ｂは、外面形成部材５６等で形成されている壁４の内部に収納されていない。
【００７０】
以上のことから、無目２と前記移動機構とで構成されている移動部Ａのうち、開口部６の上方に配置されている部分では、移動部Ａの全体高さ寸法Ｈ１のうちの段部２Ｄの高さ寸法Ｈ２の部分が壁４の内部に収納されていることになり、残りの高さ寸法Ｈ３の部分が壁４の内部に収納されていないことになる。
【００７１】
以上説明した本実施形態によると、引戸本体１を移動させるための移動部Ａは、一部が壁４の内部に収納されたものとなっているため、壁４の内部に収納された部分では、衝撃力等の外力が直接移動部Ａに作用するのを防止できることなる。このため、移動部Ａを外力が保護することができ、移動部Ａの本来の機能及び性能等を確保することができる。
【００７２】
また、移動部Ａのうち、戸袋７の上方に配置された部分は、戸袋７と同じく壁４の内部に設けられ、また、開口部７の上方に配置された部分は、高さ寸法Ｈ２分が壁４の内部に設けられているため、移動部Ａの多くの部分が壁４の内部に収納されていることになり、移動部Ａを一層有効に外力から保護できる。
【００７３】
また、壁４における移動部Ａの箇所から外れた部分の一方の側と他方の側のそれぞれが、２枚の外面形成部材５６と６０を壁厚さ方向の重ねることにより形成されていても、壁４の内部に収納されている移動部Ａの部分は、外側の外面形成部材５６だけで覆われているため、この移動部Ａの部分の一方の側と他方の側のそれぞれを２枚の外面形成部材５６と６０で覆った場合と比較し、移動部Ａの壁厚さ方向の寸法を内側の２枚の外面形成部材６０の厚さ寸法分だけ大きくすることができる。この結果、無目２の内部に配置する前記移動機構を充実させることができ、移動部Ａの機能を拡大させることができる。
【００７４】
また、無目２の全部を壁４の内部に収納するのではなく、無目本体２Ａに開閉自在に設けられている点検カバー２Ｂを壁４の内部に収納しないで露出させたため、無目本体２Ａの内部に配置されている前記移動機構の点検、修理等の作業を、点検用カバー２Ｂを無目本体２Ａから開くことにより行える。
【００７５】
さらに、移動部Ａのうちの外部に露出しているのは、引戸本体１で開閉される開口部６の上方に配置された部分のうちの高さ寸法Ｈ３だけであり、この上の高さ寸法２の部分は壁４の内部に収納されているため、移動部Ａの全体高さ寸法Ｈ１をＨ３とＨ２の合計の大きな寸法とすることができる。これにより、外部から見える無目２の高さ寸法を外観が良好となるＨ３としつつも、実際の高さ寸法をこれよりも大きいＨ１とすることができることから、前述したように、引戸本体１を自動的に移動させるための前記駆動装置３０を可動部材である引戸本体１に取り付けるとともに、閉じ側へ移動しているときの引戸本体１の速度を減速させるための前記制動装置４０を不動部材であるガイドレール１０に取り付け、これらの駆動装置３０制動装置４０との位置関係を図４に示すように上下関係としても、引戸本体１が移動したときに、駆動装置３０と制動装置４０とが干渉しないように、これらの駆動装置３０と制動装置４０を無目本体２Ａの内部において充分上下に離間させることができる。
【００７６】
【発明の効果】
本発明によると、引戸本体を移動させるための移動部を外力から有効に保護できるという効果を得られる。
【図面の簡単な説明】
【図１】本発明の一実施形態に係る引戸装置の全体を示す正面図である。
【図２】引戸本体を移動させるための移動機構を示す図であって、引戸本体が閉じ限位置に達しているときを示す図である。
【図３】引戸本体を移動させるための移動機構を示す図であって、引戸本体が開き限位置に達しているときを示す図である。
【図４】図１のＳ４―Ｓ４線断面図である。
【図５】図１のＳ５―Ｓ５線断面図である。
【図６】図５で示された戸袋の下部の拡大図である。
【図７】下地部材の部分を示す図５の一部拡大図である。
【図８】図１のＳ８―Ｓ８線断面図である。
【図９】下地部材の全体斜視図である。
【図１０】戸袋の上部の縦断面図である。
【符号の説明】
１  引戸本体
２  無目
２Ａ  無目本体
２Ｂ  点検用カバー
４  壁
６  開口部
７  戸袋
３０  駆動装置
４０  制動装置
５５，５６，６０  外面形成部材
Ａ  移動部
【図１】
0004749580.tif 000002
【図２】
0004749580.tif 000003
【図３】
0004749580.tif 000004
【図４】
0004749580.tif 000005
【図５】
0004749580.tif 000006
【図６】
0004749580.tif 000007
【図７】
0004749580.tif 000008
【図８】
0004749580.tif 000009
【図９】
0004749580.tif 000010
【図１０】
0004749580.tif 000011